(57)【要約】      （修正有）【課題】ウエットティッシュ先端部を引き出す際のキャップの開操作を容易に行えるようにしたウエットティッシュロール用容器を提供する。【解決手段】縦向き円筒状の容器本体１と蓋体２とを有したウエットティッシュロール用容器において、蓋体２の上面部にウエットティッシュ取出口となるウエットティッシュ挿通穴２４を設ける。蓋体２の上面部にウエットティッシュ挿通穴２４を開閉するキャップ３設けるとともに、キャップ３を開方向に付勢する付勢手段２８と、キャップ３を蓋体２に係止するロック手段５と、ロック手段５によるロック状態を解除するロック解除手段６とを付設している。【選択図】図１
0003158449.tif 000002
【実用新案登録請求の範囲】
【請求項１】
帯状のウエットティッシュ（Ｓ）をロール状に巻回してなるウエットティッシュロール（Ｒ）を出し入れ自在に収容する容器であって、縦向き円筒状の容器本体（１）と該容器本体（１）のロール出し入れ口（１１）を気密的且つ着脱自在に覆蓋する蓋体（２）とを有したウエットティッシュロール用容器において、
前記蓋体（２）の上面部にウエットティッシュ取出口となるウエットティッシュ挿通穴（２４）を設ける一方、
前記蓋体（２）の上面部に前記ウエットティッシュ挿通穴（２４）を開閉するキャップ（３）設けるとともに、
前記キャップ（３）を開方向に付勢する付勢手段（２８）と、前記キャップ（３）を前記蓋体（２）に係止するロック手段（５）とを付設し、
前記蓋体（２）には、前記ロック手段（５）によるロック状態を解除するロック解除手段（６）を設けている、
ことを特徴とするウエットティッシュロール用容器。
【考案の詳細な説明】
【技術分野】
【０００１】
本願考案は、帯状ウエットティッシュをロール状に巻回してなるウエットティッシュロールを収容するためのウエットティッシュロール用容器に関するものである。
【背景技術】
【０００２】
この種のウエットティッシュロール用容器に使用されるウエットティッシュロールは、帯状ウエットティッシュに所定長さ間隔（使用する１枚当たりの長さ間隔）をもって切り離し用のミシン目を入れたものをロール状に巻回したものである。そして、このウエットティッシュロールは、乾燥を防止するために密閉容器（容器本体のロール出し入れ口を蓋体で密閉したもの）に収容して使用される。尚、この種のウエットティッシュロール用容器は、内部のウエットティッシュがなくなると、新しいウエットティッシュロールを補充して再使用される。
【０００３】
この種のウエットティッシュロール用容器としては、例えば図５に示すようなものが知られている（特許文献１参照）。この公知例のウエットティッシュロール用容器は、図５に示すように、容器本体１０１の上部に蓋体１０２を螺合し、該蓋体１０２の中央部にウエットティッシュ取出口部材１０４を設け、該ウエットティッシュ取出口部材１０４にウエットティッシュ取出穴１４１を設けている。
【０００４】
ウエットティッシュ取出穴１４１は、容器本体１０１内に収容したウエットティッシュロールＲから帯状ウエットティッシュＳを引き抜き時に切断用のミシン目で切断する機能と、切断された後続のウエットティッシュ先端部Ｓａを保持しておく（下方に抜け出すのを防止する）機能を有している。
【０００５】
又、このウエットティッシュ取出穴１４１の外側には、該ウエットティッシュ取出穴１４１部分で保持されているウエットティッシュ先端部Ｓａが乾燥しないようにするためのキャップ１０３が開閉自在に設けられている。この公知例（図５）で使用されているキャップ１０３は、蓋体１０２に対して無理嵌め（凹凸嵌合）によって閉塞されている。
【先行技術文献】
【特許文献】
【０００６】
【特許文献１】実公平７−１２３１０号公報
【考案の概要】
【考案が解決しようとする課題】
【０００７】
ところで、上記した図５（公知）のウエットティッシュロール用容器では、ウエットティッシュ取出しに際してキャップ１０３を開閉するのに（特に開放するのに）、一方の手で容器本体１０１を掴み、他方の手の指で開閉するようになっているので、該キャップ１０３の開閉操作（特に開放操作）の度に両手を使用する必要があり、そのキャップ開閉操作が面倒であるという問題があった。
【０００８】
そこで、本願考案は、ウエットティッシュ先端部を引き出す際のキャップの開閉操作を容易に行えるようにしたウエットティッシュロール用容器を提供することを目的としてなされたものである。
【課題を解決するための手段】
【０００９】
本願考案は、上記課題を解決するための手段として次の構成を有している。尚、本願考案は、ウエットティッシュロールを収容して、ウエットティッシュを１枚の長さずつ抜き出して使用できるようにしたウエットティッシュロール用容器を対象としている。
【００１０】
本願のウエットティッシュロール用容器で使用されるウエットティッシュロールは、所定長さ間隔（１枚のウエットティッシュ長さ間隔）をもって順次切断用のミシン目を有した帯状ウエットティッシュをロール状に巻回したものである。尚、この種のウエットティッシュには、一般に不織布が採用されている。
【００１１】
本願考案のウエットティッシュロール用容器は、縦向き円筒状の容器本体と蓋体とを有し、ウエットティッシュロールを容器本体内に収容した状態で蓋体を気密的且つ着脱自在に覆蓋し得るようにしたものである。
【００１２】
蓋体の上面部には、ウエットティッシュ取出口となるウエットティッシュ挿通穴を設けている。又、この蓋体の上面部には、ウエットティッシュ挿通穴を開閉するキャップを設けている。
【００１３】
キャップは、付勢手段で開方向に付勢している一方、蓋体に対してロック手段で係脱自在に係止し得るように取付けている。付勢手段としてはスプリング（鶴巻バネ）が使用可能であり、ロック手段としては係脱自在な係止機構が採用できる。
【００１４】
蓋体には、ロック手段によるキャップのロック状態を解除するロック解除手段を設けている。このロック解除手段は、手指で押圧することによりロック手段をロック解除できるものである。
【００１５】
つまり、このキャップは、ロック手段によって蓋体に係止されるとともに、ロック解除手段によってロック手段によるロックが解除されると、付勢手段によって自動的に開作動するようになっている。
【００１６】
本願考案のウエットティッシュロール用容器内にウエットティッシュロールをセットするには、蓋体を容器本体から分離する一方、ウエットティッシュロールの始端側ウエットティッシュの先端部を所定小長さだけ引き出してそのウエットティッシュ先端部を蓋体の下面側からウエットティッシュ挿通穴を通した状態で、ウエットティッシュロールを容器本体内に収容し、さらに蓋体を容器本体に装着することによって、ウエットティッシュロールのセット作業は完了する。このとき、キャップは閉塞しておくが、このキャップ閉塞状態では、ロック手段によりロック状態が維持されている。
【００１７】
このセット状態から、ロック解除手段の操作によりロック手段のロックを解除すると、キャップが付勢手段の付勢力により自動的に開作動されるようになっている。このロック解除操作は、１本の指でロック解除手段を押すことで行えるので、容器本体部分に手を添えることなく、片手で行える。
【００１８】
そして、キャップ開放後、ウエットティッシュ挿通穴から上方に露出しているウエットティッシュ先端部を摘まんで上方に引っ張ると、ウエットティッシュを引き出すことができる。尚、ウエットティッシュを引き出した後に、キャップを閉じると、キャップはロック手段によって蓋体に対してロックされる（ウエットティッシュ挿通穴がキャップによって気密的に覆われる）。このキャップ閉操作も、該キャップを付勢手段の付勢力に抗して指で押付けることで行えるので、容器本体部分に手を添えることなく、片手で行える。
【考案の効果】
【００１９】
本願考案は、蓋体に設けたウエットティッシュ挿通穴を開閉するためのキャップを設けたウエットティッシュロール用容器において、該キャップを付勢手段で開方向に付勢する一方、キャップをロック手段で係止するとともに、蓋体にロック手段によるロック状態を解除するロック解除手段を設けて構成されている。
【００２０】
従って、本願考案のウエットティッシュロール用容器では、キャップの開閉操作を片方の手指だけで行える（従来では両方の手を使用する必要があった）ので、該キャップの開閉操作が非常に簡単となるという効果がある。
【図面の簡単な説明】
【００２１】
【図１】本願実施例のウエットティッシュロール用容器におけるキャップ開放状態での斜視図である。
【図２】図１のウエットティッシュロール用容器の縦断面図（容器本体の下部を省略したもの）である。
【図３】図１のウエットティッシュロール用容器における蓋体とウエットティッシュ取出口部材の下方から見た斜視図である。
【図４】図１のウエットティッシュロール用容器に使用しているウエットティッシュ取出口部材をウエットティッシュ先端部に装着する際の説明図である。
【図５】公知（特許文献１）のウエットティッシュロール用容器の縦断面図である。
【考案を実施するための形態】
【実施例】
【００２２】
図１〜図４を参照して、本願実施例のウエットティッシュロール用容器を説明する。
【００２３】
このウエットティッシュロール用容器は、図１及び図２に示すように、ウエットティッシュロールＲを収容し得る容器本体１と、該容器本体１のロール出し入れ口１１を着脱自在に覆蓋する蓋体２とを有したものである。尚、容器本体１と蓋体２とは、それぞれプラスチック成型品からなっている。
【００２４】
容器本体１は、縦向き円筒容器状に形成されている。蓋体２は、上面部２１と周壁部２２とを有している。そして、このウエットティッシュロール用容器は、蓋体２を容器本体１の上部に螺合することによって、容器本体１内を気密状態に維持し得るようになっている。
【００２５】
このウエットティッシュロール用容器に使用されるウエットティッシュロールＲは、図２に示すように、所定長さ間隔（１枚のウエットティッシュ長さ間隔）をもって順次切断用のミシン目Ｔを有した帯状ウエットティッシュＳをロール状に巻回したものである。尚、ウエットティッシュロールＲのウエットティッシュＳには、予め化粧水やアルコール成分を含む薬液を含浸させているが、容器内に収容している状態ではウエットティッシュＳに含浸させている水分が外気中に蒸発しないようにすることが必要である。
【００２６】
蓋体２の上面部２１には、容器本体１の外周部と同心円状に段下げした段下げ部２３を設けている。この段下げ部２３の中央部には、ウエットティッシュＳを挿通させるウエットティッシュ挿通穴２４を設けている。尚、このウエットティッシュ挿通穴２４は、抜き出されるウエットティッシュＳを棒状に絞り込むものではなく、適度の大きさ（例えば、１０〜２０ｍｍ弱）のものでよい。
【００２７】
段下げ部２３におけるウエットティッシュ挿通穴２４の外側を囲う位置の上下各面には、上向き環状壁２６と下向き環状壁２５とがそれぞれ形成されている。上向き環状壁２６は、後述するようにウエットティッシュ抜き出し孔となる小孔４１から若干高さだけ突出するウエットティッシュ先端部Ｓａを収容するためのスペースとなるものである。
【００２８】
蓋体２には、段下げ部２３を閉塞するためのキャップ３が開閉自在に設けられている。該キャップ３は、段下げ部２３の外壁となる上面部２１の一側に対して揺動自在に枢支されており、該枢支部には、キャップ３を開方向に付勢する付勢手段となるスプリング（鶴巻バネ）２８を設けている。該スプリング２８の端部２８ａは、段下げ部２３に形成された凹部２９に係合されている。符号３０はスプリング２８を覆うべくキャップ３の内面における枢支部に取り付けられたカバーである。
【００２９】
キャップ３における反枢支部側には、該キャップ３の周壁３ａを連結する連結壁３２が一体に形成されている。この連結壁３２の中央部には、蓋体２における段下げ部２３においてキャップ３の枢支部の反対側となる位置に一体に形成された凸部５１と係合して該キャップ３の閉止状態を維持する（換言すれば、ロック）する係合凸部３３が一体に形成されている。本実施例においては、凸部５１および係合凸部３３が、キャップ３の閉止状態を維持するロック手段５を構成するものである。
【００３０】
また、蓋体２における反枢支部側には、段下げ部２３の外周壁の一部を削除してなる凹部６１が形成されており、該凹部６１には、操作レバー６２が揺動自在に枢支されている。該操作レバー６２の内端側には、閉止状態のキャップ３の連結壁３２における係合凸部３３の両側部分と係合する一対の係合片６３，６３が一体に突設されている。尚、本実施例においては、操作レバー６２、係合片６３，６３および連結壁３２が、キャップ３のロックを解除するロック解除手段６を構成するものである。
【００３１】
そして、キャップ３の内面側中央部には、上向き環状壁２６の外周面に嵌合する環状壁３１が形成されていて、キャップ３を閉止した状態では上向き環状壁２６内の空所２７を密閉し得るようになっている。また、蓋体２の段下げ部２３の外周壁には、キャップ３を閉止したときに該キャップ３の周壁３ａが当接する段部７を設けている。
【００３２】
蓋体２の下面（段下げ部２３の下向き環状壁２５内）には、ウエットティッシュ取出口部材４が着脱自在に嵌め込まれている。このウエットティッシュ取出口部材４は、シリコンゴムのような適度に可撓性を有した弾性材で円盤状（下面側に段差がある）に成形されている。
【００３３】
ウエットティッシュ取出口部材４は、外径が下向き環状壁２５の内径とほぼ同径の大きさ（例えば、２０〜２５ｍｍ程度の外径）を有している。そして、このウエットティッシュ取出口部材４は、下向き環状壁２５内に蓋体下面側から着脱自在に圧入できるようになっている。尚、ウエットティッシュ取出口部材４を下向き環状壁２５内に圧入した状態（図２）では、下向き環状壁２５の内面との摩擦力によって安定状態で保持される（不用意に脱落しない）とともに、ウエットティッシュ取出口部材４でウエットティッシュ挿通穴２４を気密的に閉塞し得るようになっている。
【００３４】
ウエットティッシュ取出口部材４には、その中央部付近にウエットティッシュＳを細棒状に絞り込んでミシン目Ｔで切断し得る小孔４１を設けている。この小孔４１の内径は、ウエットティッシュＳを棒状に引き出し得るとともにミシン目Ｔが通過した直後に該ミシン目Ｔで切断し得る摩擦力（引き出し抵抗）が働く程度のものであり、例えば２〜４ｍｍ程度が適当である。
【００３５】
ところで、ウエットティッシュ取出口部材４の小孔４１には、ウエットティッシュＳを絞り込んだ状態で挿通させるが、該小孔４１のままであるとウエットティッシュ先端部Ｓａを挿通させる作業が非常に面倒となる。
【００３６】
そこで、このウエットティッシュ取出口部材４には、図１、図３、図４に示すように、その外端面から小孔４１に達する１つの分断部４２を形成して、該ウエットティッシュ取出口部材４を蓋体２から取り外した状態で該分断部４２を弾性的に開放できるようにしている（図３の鎖線図示状態又は図４の実線図示状態）。即ち、ウエットティッシュ取出口部材４を図３の実線図示状態から、分断部４２の両側を摘まんで左右に広げると、該ウエットティッシュ取出口部材４が図３に鎖線図示（符号４′）するように変形して、分断部を符号４２′で示すように広げ得るようになっている（分断部４２′の両端面間の隙間が小孔４１′まで達している）。尚、このウエットティッシュ取出口部材４は、分断部４２の両側を上下反対方向に撓ませても該分断部４２を開放できる。
【００３７】
この実施例のウエットティッシュロール用容器では、蓋体２の上面部に、ウエットティッシュ挿通穴２４を開閉するキャップ３を設け、該キャップ３を開方向に付勢する付勢手段であるスプリング２８と、キャップ３を蓋体２に係止するロック手段５（具体的には、キャップ３側の係合凸部３３と蓋体２側の凸部５１とによって構成されている）とを付設するとともに、蓋体２にロック状態を解除するロック解除手段６（具体的には、操作レバー６２と係合片６３，６３とキャップ３側の連結壁３２とによって構成されている）を設けている。
【００３８】
そして、この実施例のウエットティッシュロール用容器では、ロック手段５によりキャップ３を閉状態に維持できる一方、ロック解除手段６を手指でロック解除操作することによって付勢手段（スプリング２８）の付勢力により自動的に開作動させ得るようにしているので、キャップ３の開閉操作（特に開操作）を片方の手指のみ（容器本体１を他方の手で掴んでおく必要はない）で行え、該キャップの開閉操作が非常に簡単になるという機能を有している。
【００３９】
尚、本願考案は、上記実施例に限定されるものではなく、考案の要旨を逸脱しない範囲で適宜設計変更可能なことは勿論である。
【符号の説明】
【００４０】
１は容器本体、２は蓋体、３はキャップ、５はロック手段、６はロック解除手段、１１はロール出し入れ口、２１は蓋体の上面部、２４はウエットティッシュ挿通穴、３２は連結壁、３３は係合凸部、５１は凸部、６２は操作レバー、６３は係合片、Ｒはウエットティッシュロール、Ｓはウエットティッシュ、Ｓａはウエットティッシュ先端部である。
【図１】
0003158449.tif 000003
【図２】
0003158449.tif 000004
【図３】
0003158449.tif 000005
【図４】
0003158449.tif 000006
【図５】
0003158449.tif 000007